(57)【要約】【課題】合成樹脂の射出成形品であっても取手部の手触りが良く且つ掴み勝手の良い植木鉢を提供する。【解決手段】植木鉢の取手部１５ａは下部成形品１９と上部成形品２０とによって構成されている。下部成形品１９は植木鉢の胴部１３と一体的に成形されているのに対し、上部成形品２０はこれらと別体に形成されている。下部成形品１９の並行する端面２８ａ，端面２８ｂに対して、上部成形品２０の並行する端面２９ａ，端面２９ｂが突合わされた状態になるようにこれらの寸法が設定されている。同様に下部成形品１９の端面２８ｃ，端面２８ｄに対して、上部成形品２０の端面２９ｃ，端面２９ｄが突合わされた状態になるように設定されている。そして、下部成形品１９の端面と上部成形品２０の端面とを突き合わせた状態でこれらを嵌合させることによって、これらが一体化した取手部１５ａが形成される。【選択図】      図２
2004229506.tif 000002
【特許請求の範囲】
【請求項１】
合成樹脂の射出成形によって形成される植木鉢であって、
植木用の土を収容することができる胴部と、
胴部の上端の一部に接続され、水平方向の外方に伸びる取手部とを備え、
前記取手部は、前記胴部と一体的に形成される第１の成形品と、前記第１の成形品の並行する少なくとも２つの端面に、その少なくとも２つの端面を突合わせた状態で前記第１の成形品に接合する第２の成形品とからなる、植木鉢。
【請求項２】
前記取手部の断面は、前記第１の成形品の断面と前記第２の成形品の断面とが連続したリング状に形成される請求項１記載の植木鉢。
【請求項３】
前記第１の成形品は、前記取手部の下方部分を構成する下部成形品であり、
前記第２の成形品は、前記取手部の上方部分を構成する上部成形品である、請求項２記載の植木鉢。
【請求項４】
前記胴部及び前記第１の成形品の色は同一の特定色であり、前記第２の成形品の色は前記特定色とは異なる、請求項３記載の植木鉢。
【発明の詳細な説明】
【０００１】
【発明の属する技術分野】
この考案は植木鉢に関し、特に合成樹脂の射出成形により形成される植木鉢に関するものである。
【０００２】
【従来の技術】
図５は従来の植木鉢の外観形状を示した斜視図である。
【０００３】
図を参照して、植木鉢６１は合成樹脂の射出成形による一体成形によって形成されており、植木用の土を収容することができる胴部６３と、胴部６３の下部に接続される脚部６４と、胴部６３の上端から水平方向の外方に伸びるフランジ部６５とから構成されている。
【０００４】
フランジ部６５のコーナー部には、図示しない支柱を取付けるための支柱用孔１７ａ〜支柱用孔１７ｄが形成されている。又、胴部６３はコーナーが丸みを帯びた長方形断面で上方にやや広がる筒形状を有している。胴部６３の上部の短辺側に接続するフランジ部６５の部分には、一対の開口６８ａ，開口６８ｂが形成され、取手６７ａ，取手６７ｂを構成している。植木鉢６１の移動の際には、取手６７ａ，取手６７ｂを両手で掴んで移動させるものである。
【０００５】
【発明が解決しようとする課題】
上記のような従来の植木鉢では、特に取手に問題がある。
【０００６】
図６は図５で示したＶＩ−ＶＩラインの拡大断面図である。
【０００７】
図を参照して、胴部６３、フランジ部６５及び取手６７ａは上述のように合成樹脂の射出成形によって一体的に形成されている。したがって、取手６７ａを構成する部分の端面７０及び端面７１や開口６８ａを構成する部分の端面７２がそのまま露出した状態となっている。そのため、取手６７ａを手で掴むと、端面７０及び端面７１等が直接手に当たってしまう。土等の収容で植木鉢６１の重量が増すと、手に加わる痛さが増大するため、このような植木鉢６１が小学校の教材（あさがおの生育観察）として用いられた場合、小学生による移動は容易ではない。
【０００８】
又、構造上、取手６７ａやフランジ部６５の下面に凹部が形成されるため、この部分が湿った状態になり、ナメクジ等の繁殖の場ともなりやすい。
【０００９】
この考案は上記のような課題を解決するためになされたもので、合成樹脂の射出成形品であっても、取手部の手触りが良く掴み勝手の良い植木鉢を提供することを目的とする。
【００１０】
【課題を解決するための手段】
上記の目的を達成するために、請求項１記載の考案は、合成樹脂の射出成形によって形成される植木鉢であって、植木用の土を収容することができる胴部と、胴部の上端の一部に接続され、水平方向の外方に伸びる取手部とを備え、取手部は、胴部と一体的に形成される第１の成形品と、第１の成形品の並行する少なくとも２つの端面に、その少なくとも２つの端面を突合わせた状態で前記第１の成形品に接合する第２の成形品とからなるものである。
【００１１】
このように構成すると、取手部を構成する第１の成形品及び第２の成形品ともに各々の端面が露出しない。
【００１２】
請求項２記載の考案は、請求項１記載の考案の構成において、取手部の断面は、第１の成形品の断面と第２の成形品の断面とが連続したリング状に形成されるものである。
【００１３】
このように構成すると取手部の外周がなだらかな曲線で構成される。
【００１４】
請求項３記載の考案は、請求項２記載の考案の構成において、第１の成形品は取手部の下方部分を構成する下部成形品であり、第２の成形品は取手部の上方部分を構成する上部成形品としたものである。
【００１５】
このように構成すると、取手部の上方部分が胴部を構成する部分と別体となる。
【００１６】
請求項４記載の考案は、請求項３記載の考案の構成において、胴部及び第１の成形品の色は同一の特定色であり、第２の成形品の色は特定色とは異なるものである。
【００１７】
このように構成すると、取手部の上方部分の色が植木鉢を構成する他の部分の色と相違する。
【００１８】
【発明の効果】
以上説明したように、請求項１記載の考案は、第１の成形品及び第２の成形品ともに各々の端面が露出しないため、取手部の手触りが良く掴み勝手が良い。
【００１９】
請求項２記載の考案は、請求項１記載の考案の効果に加えて、取手部の外周がなだらかな曲線で構成されるため、取手部によるより安定した把持効果が発揮される。
【００２０】
請求項３記載の考案は、請求項２記載の考案の効果に加えて、取手部の上方部分が胴部を構成する部分と別体となるため、目視されやすい取手部の上方部分を他の部分から目立つようにすることが可能となる。
【００２１】
請求項４記載の考案は、請求項３記載の考案の効果に加えて、取手部の上方部分の色が他の部分の色と相違するため、取手部が注目されやすい変化に富んだ植木鉢となる。
【００２２】
【発明の実施の形態】
図１はこの考案の第１の実施の形態による植木鉢の外観形状を示した斜視図であり、図２は図１で示したＩＩ−ＩＩラインの拡大断面図であり、図３は図１において取手部を構成する成形品を分解した状態を示した斜視図である。
【００２３】
これらの図を参照して、植木鉢１１は合成樹脂の射出成形によって形成されているが、全体が従来のような１つの成形品ではなく複数の成形品を互いに嵌合させて全体の形状を構成するものである。まず全体的な形状を示すと、植木鉢１１は植木用の土を収容することができ、コーナーが丸みを帯びた長方形断面で上方にやや広がる筒型形状を有した胴部１３と、胴部１３の下端に接続された４本の脚部１４と、胴部１３の上端の長辺側から水平方向の外方に伸びるフランジ部１６と、胴部１３の上端の短辺側から水平方向の外方に伸びる一対の取手部１５ａ，取手部１５ｂとから構成されている。フランジ部１６のコーナー四隅には、図示しない支柱が取付けられる支柱用孔１７ａ〜支柱用孔１７ｄが形成されている。
【００２４】
取手部１５ａ，取手部１５ｂは図２及び図３から明らかなように、２つの成形品によって構成されている。すなわち、取手部１５ａは胴部１３と一体的に成形される第１成形品となる下部成形品１９と、胴部１３とは別途に成形される第２成形品となる上部成形品２０とから構成されている。そして下部成形品１９の並行する端面２８ａ，端面２８ｂに対して、上部成形品２０の端面２９ａ，端面２９ｂが突合わされた状態となるように互いの寸法が設定されている。又、同様に下部成形品１９の端面２８ｃ，端面２８ｄに対して、上部成形品２０の端面２９ｃ，端面２９ｄが突合わされた状態となるようにこれらの寸法も設定されている。尚、これらの端面の突合せ状態がずれないように、互いに勘合する凹凸が端面の各々に形成されている。
【００２５】
下部成形品１９に対して上部成形品２０を嵌合させる際には、例えば下部成形品１９に形成されているスリット２３に対して、上部成形品２０に形成されている係止片２２を挿通するように係合させてこれらを一体化する。これらが嵌合した状態にあっては、図２に示されているように、下部成形品１９及び上部成形品２０の各々の端面が露出することがないため、取手部１５ａを掴んだ場合であってもこれらの端面によって従来例のように手を痛める虞はない。又、下部成形品１９及び上部成形品２０の外方部分は、これらの断面が連続したリング状になるため、その外面が連続したなだらかな曲線となり、より手触りの良い持ち手を構成する。
【００２６】
上述のように取手部１５を構成する上部成形品２０は、胴部１３と一体的に成形される下部成形品１９とは別体として成形されるため、これらを別材料としたり、その表面仕上げ状態や色等を互いに変えることが容易となる。
【００２７】
この実施の形態においては、胴部１３、フランジ部１６及び下部成形品１９は青色の合成樹脂とし、取手部１５の上部成形品２０は黄色の同一材料の合成樹脂としている。これによって上部成形品２０の部分が周りの部分から明確に識別され、取手部が強調された変化に富んだ植木鉢を構成する。
【００２８】
図４はこの考案の第２の実施の形態による植木鉢の取手部分の拡大断面図である。
【００２９】
先の実施の形態においては、取手部の上部成形品２０は胴部１３と別体とし、その下部成形品１９を胴部１３と一体に成形したものとしている。これに対し、この実施の形態においては、取手部１５を構成する上部成形品２５は胴部１３と一体的に成形し、取手部１５を構成する下部成形品２６を胴部１３とは別体に成形するものである。尚、図においては、上部成形品２５の端面と下部成形品２６の端面とに形成される嵌合状態を安定させるための凹凸形状は省略している。
【００３０】
このように構成すると、上部成形品２５の上面は胴部１３と一体的に成形されるため、その表面に継目が表れない。一方、上部成形品２５の端面と下部成形品２６の端面とは突合わした状態で嵌合されているため、取手部１５として手触りを良くする効果は先の実施の形態によるものと変わらない。又、この実施の形態において下部成形品２６の色を胴部１３及び上部成形品２５の色と同色とすると、外観上は従来例による植木鉢とほとんど変わることなく、取手部が大きく改良された植木鉢となる。
【００３１】
尚、上記の各実施の形態では、上部成形品と下部成形品とがその断面がリング状になるように嵌合しているが、これらが密着した状態に嵌合しても良い。
【００３２】
又、上記の各実施の形態では、上部成形品と下部成形品とが脱着自在に嵌合しているが、これらを接着等によって接合しても同様の効果を奏する。
【００３３】
更に、上記の各実施の形態では、取手部の形状は従来例で示した開口６８に相当する指通し孔が形成されているが、このような指通し孔が形成されていない取手部であっても同様に適用できる。
【００３４】
更に、上記の各実施の形態では、上部成形品の端面と下部成形品の端面とには特定形状の凹凸が形成されているが、これらの端面は他の形状であっても良く、又このような凹凸が形成されていなくても良い。
【図面の簡単な説明】
【図１】この考案の第１の実施の形態による植木鉢の外観形状を示した斜視図である。
【図２】図１で示したＩＩ−ＩＩラインの拡大断面図である。
【図３】図１で示した植木鉢において取手部を構成する上部成形品を分離した状態を示した斜視図である。
【図４】この考案の第２の実施の形態による植木鉢の取手部の拡大断面図である。
【図５】従来の植木鉢の外観形状を示した斜視図である。
【図６】図５で示したＩＶ−ＩＶラインの拡大断面図である。
【符号の説明】
１１…植木鉢
１３…胴部
１５…取手部
１９，２６…下部成形品
２０，２５…上部成形品
２８，２９…端面
尚、各図中同一符号は同一又は相当部分を示す。
【図１】
2004229506.tif 000003
【図２】
2004229506.tif 000004
【図３】
2004229506.tif 000005
【図４】
2004229506.tif 000006
【図５】
2004229506.tif 000007
【図６】
2004229506.tif 000008